(57)【要約】【課題】  従来メガネフレームにチタン等はフレーム素材としてよく使用されているが、皮膚に接触（半導体作用）させる目的で使用はされていなかった。特にパット部分とツル部分はフイット感の良いようにプラスチック樹脂等が使用されていた。又、販売に於いて画期的な良い新製品でも一般消費者に認知されるまで時間とマスメディア等を使った莫大な資金の投資が必要であった。【解決手段】  メガネフレームの鼻パット部分とツル部分にゲルマニウム半導体を設けた半導体作用のある半導体メガネ。又、新製品販売に於いてインターネットを介することによって不特定多数の半導体メガネ購入希望者に瞬時に対応する事ができ莫大な宣伝費用をかける事なく新製品を安く販売する事ができる。【選択図】    図１
2007121977.tif 000002
【特許請求の範囲】
【請求項１】
メガネフレームの鼻パット部分とツル部分に半導体を設けたメガネであることを特徴とする。
【請求項２】
新製品販売に於いてマスメデァ等の巨額な宣伝費をかけるのではなく、インターネットを介することによって瞬時に不特定多数の消費者に新製品を必要な人に必要な時にリアルタイムに効率よく宣伝することによって新製品直販が可能になり新製品を安く販売できることを特徴とする。
【発明の詳細な説明】
【技術分野】
【０００１】  本発明はメガネフレーム（パット部分とツル部分）に半導体（ゲルマニウム又はチタン或いはダイオド半導体チップ等）を設け、目頭及び側頭部分に接触するように半導体を設けた半導体メガネに関するものである。
【背景技術】
【０００２】  従来、メガネフレームにチタン等はフレーム素材としてよく使用されているが、皮膚に接触させる目的（半導体作用の目的）で使用はされていなかった。
特にパット部分とツルの先端部分５〜６ｃｍ位は皮膚当たりの良いように（フイット感の良いように）プラスチック樹脂などが使用され直接チタン金属等が皮膚に触れないようにしていた。
【特許文献１】  特許公開２００４−３０９９６６号  公報
【発明の開示】
【発明が解決しょうとする課題】
【０００３】  これは次ぎのような問題点があった。
ゲルマニウム半導体チップは医療具として医療効果もあり、目尻、目頭、こめかみ等のツボに貼付すると、目の疲れ、目の緊張を取り視力を健康に保つ効果がある。
ゲルマニウム半導体チップはバンソーコテープで患部のツボ、目であれば、目尻、目頭、こめかみ等にバンソーコテープで貼付するのであるが、家にいる時、又は寝ている時等に貼付する方法が主な使用法であった。
貼付した状態をいつも見慣れている家族には、貼付している本人は恥ずかしくないが、家に訪れた他の人には目尻など見える所に貼付した状態はとても恥ずかしくカッコの悪いものであった。
目の緊張を取り、目の健康に良いので毎日寝る前などにゲルマニウム半導体チップをバンソーコテープで貼付するのであるが毎日バンソーコテープで一々、貼付するのが面倒になってくる。そして段々と面倒臭く貼付しない日もある。
特に若い人には目に良いと分かっていてもカッコの悪い事はできないものです。
【０００４】  又、販売に於いて、従来であれば画期的な良い新製品でも、一般消費者に良い製品だと認知されるまで時間と莫大な資金（新聞、雑誌、折り込みチラシ、テレビ等のマスメデァを使った）を投資する必要があった。
その為、新聞折り込みチラシ等は必要としない人にまで配りムダが多かった。
本発明は以上のような欠点を解決することを目的とするものである。
【課題を解決するための手段】
【０００５】  本発明は上記目的を達成するために、メガネフレームに半導体を設けた半導体メガネをインターネットで販売を行うものである。
【発明の効果】
【０００６】  本発明はメガネフレームの鼻パット部分とツル部分（皮膚に接触する部分〉にゲルマニウム等の半導体金属を張り付け（プリント）、又は取り付ける。
半導体を皮膚に接触させる構造なので半導体部分が皮膚に密着し外からは半導体は見えない構造になっている。
だからメガネをかけた状態はごく普通のメガネをかけたように見える。
このような構造なので、ゲルマニウム半導体チップのようにバンソーコテープで一々貼付する必要もなく、他の人から見える所に貼付して恥ずかしい思いをしなくてすむ。
しかもメガネをかけているだけで目の疲れ、目の緊張を取り除き視力を健康に保つ効果がある。
又、販売に於いて、消費者からの半導体メガネ購入希望者にも対応するため半導体メガネ取り扱い販売店の一覧表をインターネットのホームページに載せる。
このようにする事によって、半導体メガネ購入希望者はインターネットで販売店の一覧表によって一番近くのメガネチェーン店、或いはメガネデスカウント店、小売店に買いに行く事ができる。
インターネットを利用する事によって不特定多数の購入希望者に瞬時に対応する事ができ新製品の直販が可能になり莫大な宣伝費用をかける事なく新製品を安く販売することができる。
【発明を実施するための最良の形態】
【０００７】  以下、本発明の実施の形態を図１〜図２に基づいて説明する。
図１は半導体メガネの図である。
メガネフレーム（１）の鼻パット部分（２）とツル部分（３）にゲルマニウム半導体（４）を貼り付ける。
本発明は以上の構成で、これを使用する時ゲルマニウム半導体は皮膚に密着し外からは半導体が見えないので、普通のメガネをかけたように見える。しかもゲルマニウム半導体が密着しているので半導体作用がある。そのためゲルマニウム半導体チップ（５）のようなバンソーコテープで貼付する不便さ、カッコ悪さを解消することができる。【０００８】  図２は半導体メガネ販売のビジネスモデルを示す図である。
半導体メガネ製造メーカー（Ａ）は半導体メガネ取り扱い販売店を希望する小売販売店を募集し募集に応じた販売店をインターネットサイト（Ｂ）に半導体メガネ取り扱い販売店一覧表の登録店として登録する。
次に新聞の全国紙に半導体メガネの効能、効果と取り扱い等を大々的に宣伝する。
新聞には販売店の一覧表は紙面を取るので一切掲載せず、インターネットホームページのアドレスを新聞に掲載する。
一方、新聞を見た半導体メガネ購入希望者（Ｃ）は早速インターネットで半導体メガネ取り扱い販売店一覧表を設けたインターネットサイト（Ｂ）に接続する。
例えば半導体メガネ購入希望者（Ｃ）が大阪府大阪市天王寺区なら、画面上に現れた日本全国北海道から九州、沖縄の全国地図の選択肢から近畿地方を選ぶ、さらに大阪府大阪市を選ぶと大阪市全ての半導体メガネ取り扱い販売店一覧表が現れる。
この一覧表の中から天王寺区内、或いは天王寺区に近い半導体メガネ取り扱い販売店を選ぶと半導体メガネと販売店に関する情報が詰まったページが現れる。
情報の詰まったページには半導体メガネの構造、効能、効果、取り扱い方ゲルマニウムの歴史、半導体メガネ商品の各種デザインの写真等。
又、半導体メガネ取り扱い販売店の店名、住所、電話、現地案内図、店の写真、営業日、定休日、店の取り扱い商品のラインナップ（例えばメガネ、コンタクトレンズ、補聴器、時計、貴金属、ブランド物バッグ等）の写真。
販売店の宣伝メッセイジ（例えば全商品市価の半額等など）購入希望者が知りたい情報が満載。インターネットで半導体メガネと販売店の詳細な情報で購入希望者は販売店を値段、品質、サービス等、比較検討する事ができ、より安く、より良い商品を購入する事ができる。
【図面の簡単な説明】
【０００９】
【図１】  半導体メガネの図である。
【図２】  半導体メガネ販売のビジネスモデルの図である。
【符号の説明】
【００１０】  （１）  メガネフレーム
（２）  鼻パット
（３）  ツル
（４）  ゲルマニウム半導体
（５）  ゲルマニウム半導体チップ
（Ａ）  半導体メガネ製造メーカー
（Ｂ）  インターネットサイト（半導体メガネ取り扱い販売店一覧表）
（Ｃ）  半導体メガネ購入希望者
【図１】
2007121977.tif 000003
【図２】
2007121977.tif 000004